(57)【特許請求の範囲】
【請求項１】
帯状の表示部材をヘルメットに取り付ける際に使用されるヘルメット用取付具であって、
前記表示部材の端部に取り付けられる取付部と、
前記取付部に設けられ、かつ前記ヘルメットの縁に係止可能なフック部とを備え、
前記取付部にマスクの耳かけ部を係止可能な係止部が設けられ、
前記フック部を前記ヘルメットの縁に係止した場合における前記取付部の前記縁に沿う方向を前記取付部の幅方向とすると、
前記取付部の幅方向の両端部にそれぞれ前記係止部が前記取付部の幅方向の中央部に対して対称的に、かつ前記取付部から前記幅方向に突出して設けられ、
２つの前記係止部は、それぞれ前記耳かけ部が係止される直線部と円弧状部とを有する略四半円板状に形成され、
前記直線部は前記取付部の幅方向と直交する上方を向けられ、前記円弧状部は前記直線部より下方に配置されていることを特徴とするヘルメット用取付具。
【請求項２】
前記係止部は前記取付部に樹脂による射出成形によって一体的に形成されていることを特徴とする請求項１に記載のヘルメット用取付具。
【請求項３】
２つの前記係止部のうち、ヘルメットの背面側に近い側の前記係止部に、マスクの耳かけ部が係止されること特徴とする請求項１または２に記載のヘルメット用取付具。
【発明の詳細な説明】
【技術分野】
【０００１】
本発明は、作業員の職種や熟練度等を識別表示するための表示部材をヘルメットに取り付ける際に使用されるヘルメット用取付具に関する。
【背景技術】
【０００２】
従来、工事現場等では、新規入場教育後、作業員のヘルメットに氏名等を記入したシールを貼って作業員の職種や熟練度等を表示し識別していた。
しかし、このシールを用いる方法では、他の工事現場のシールがヘルメットに貼られていることがあり、作業員の識別ができない場合があるという問題があった。
【０００３】
この問題を解決できるヘルメット用取付具の一例して特許文献１に記載のものが知られている。このヘルメット用取付具は、作業員を識別するための帯状の表示部材をヘルメットに取り付ける際に使用されるものであり、表示部材の端部を挟みつける第１挟持片と第２挟持片とを備え、第２挟持片はヘルメットの縁に係止可能なフック部を備えている。
このようなヘルメット用取付具を使用して、帯状の表示部材をヘルメットに取り付ける場合、まず、表示部材の両端部を第１挟持片と第２挟持片とによって挟み付けることによって、表示部材の両端部にそれぞれヘルメット用取付具を取り付ける。次に、ヘルメットの外面に表示部材を密着させるようにして沿わせるとともに、表示部材の両端部にそれぞれ取り付けられているヘルメット用取付具のフック部をヘルメットの縁に挿入することによって、当該フック部をヘルメットの縁に係止することによって表示部材をヘルメット用取付具によってヘルメットに取り付ける。
【先行技術文献】
【特許文献】
【０００４】
【特許文献１】実用新案登録第３２１３４６８号公報
【発明の概要】
【発明が解決しようとする課題】
【０００５】
ところで、近年のコロナ禍において、建築土木現場等の工事現場や工場等で作業している作業員は安全のためにヘルメットを装着したうえで、感染防止のためにマスクを着用していることが多い。
マスクは工事現場等で作業している間、常に着用しているため、マスクの耳かけ部が作業員の耳に長時間にわたって接触し、このため耳に痛みが生じることがあった。
【０００６】
本発明は、上記事情に鑑みてなされたもので、ヘルメットを装着している作業員の識別を行えるとともに、マスクを着用しても作業員の耳に痛みが生じ得ないヘルメット用取付具を提供することを目的としている。
【課題を解決するための手段】
【０００７】
前記目的を達成するために、本発明のヘルメット用取付具は、帯状の表示部材をヘルメットに取り付ける際に使用されるヘルメット用取付具であって、
前記表示部材の端部に取り付けられる取付部と、
前記取付部に設けられ、かつ前記ヘルメットの縁に係止可能なフック部とを備え、
前記取付部にマスクの耳かけ部を係止可能な係止部が設けられていることを特徴とする。
【０００８】
ここで、係止部はマスクの耳かけ部を係止できる形状であれば、どのような形状や構造でも構わない。例えば、取付部から突出するような形状であってもよいし、取付部にコ字形やＵ字形の切込みを形成し、この切込みの内側を係止部としてもよい。
【０００９】
本発明においては、帯状の表示部材の両端部にヘルメット用取付具の取付部を取り付け、ヘルメットの外面に表示部材を密着させるようにして沿わせるとともに、ヘルメット用取付具のフック部をヘルメットの縁に係止することによって表示部材をヘルメットに取り付けるので、ヘルメットを装着している作業員の識別を表示部材によって確実に行える。
また、ヘルメット用取付具の取付部に、マスクの耳かけ部を係止可能な係止部が設けられているので、ヘルメットを装着した作業員は、マスクの耳かけ部を係止部に係止することによって、作業員の耳に耳かけ部を引っ掛ける必要がない。このためマスクを着用しても作業員の耳に痛みは生じ得ない。
【００１０】
また、本発明の前記構成において、前記係止部は前記取付部から突出する突出部であってもよい。
【００１１】
このような構成によれば、係止部が取付部から突出する突出部であるので、マスクの耳かけ部を突出部に容易に係止することができる。
【００１２】
また、本発明の前記構成において、前記フック部を前記ヘルメットの縁に係止した場合における前記取付部の前記縁に沿う方向を前記取付部の幅方向とすると、前記取付部の幅方向の端部に前記突出部が設けられていてもよい。
この場合、取付部の幅方向の両端部にそれぞれ突出部を設けるのが好ましい。
【００１３】
このような構成によれば、取付部の幅方向の端部に突出部が設けられているので、作業員がヘルメットを装着した状態において、突出部はヘルメットの側部と平行となっている。したがって、突出部がヘルメットの側部に対して直角に突出することがないため、安全上も好ましく、また突出部がヘルメットの側方にある物に干渉することもない。
また、取付部の幅方向の両端部のうち、ヘルメットの背面側に近い側の一端部に突出部を設けることによって、ヘルメットの前面側に近い側の他端部に突出部を設ける場合に比して、突出部に係止したマスクの耳かけ部が外れ難くなる。
さらに、取付部の幅方向の両端部にそれぞれ突出部を設けることによって、突出部の向きを気にすることなく、ヘルメット用取付具を表示部材の端部に取り付けることができるとともに、ヘルメット用取付具をヘルメットに取り付けることができる。
【００１４】
また、本発明の前記構成において、前記突出部は、前記取付部の前記フック部と逆側の表面に、当該表面から垂直に突出して設けられていてもよい。
【００１５】
このような構成によれば、突出部が取付部の表面に、当該表面から垂直に突出して設けられているので、マスクの耳かけ部を突出部に容易に係止できる。
【００１６】
また、本発明の前記構成において、前記突出部は、前記取付部の前記表面から垂直に突出する軸部と、この軸部の先端部に設けられて、当該軸部より大径でかつ当該軸部の径方向に張り出す張出部とを備えていてもよい。
【００１７】
このような構成によれば、マスクの耳かけ部を突出部の軸部に係止した場合に、張出部が軸部より大径でかつ当該軸部の径方向に張り出しているので、耳かけ部は張出部に引っ掛かる。このため、耳かけ部の突出部からの抜出しを防止できる。
【発明の効果】
【００１８】
本発明によれば、ヘルメットを装着している作業員の識別を行えるとともに、マスクを着用しても作業員の耳に痛みが生じ得ない。
【図面の簡単な説明】
【００１９】
【図１】本発明の第１の実施形態に係るヘルメット用取付具を示すもので、正面側斜視図である。
【図２】同、背面側斜視図である。
【図３】同、正面図である。
【図４】同、背面図である。
【図５】同、側面図である。
【図６】同、第１挟持片の要部の断面図である。
【図７】同、係止孔およびその周辺の拡大図である。
【図８】同、折曲部とその周辺の拡大図である。
【図９】同、第１挟持片と第２挟持片によって表示部材の端部を挟み付けた状態を示す側面図である。
【図１０】同、表示部材の端部にヘルメット用取付具を取り付けた状態を示す背面図である。
【図１１】同、ヘルメットにヘルメット用取付具を取り付けた状態を示す斜視図である。
【図１２】本発明の第２の実施形態に係るヘルメット用取付具を示すもので、正面側斜視図である。
【図１３】同、正面図である。
【図１４】同、側面図である。
【図１５】同、ヘルメットにヘルメット用取付具を取り付けた状態を示す斜視図である。
【図１６】同、変形例を示す正面図である。
【図１７】ヘルメット用取付具の変形例を示すもので、（ａ）は第１変形例を示す正面図、（ｂ）は第２変形例を示す正面図である。
【発明を実施するための形態】
【００２０】
以下、図面を参照して本発明のヘルメット用取付具の実施形態について説明する。
（第１の実施形態）
図１は第１の実施形態のヘルメット用取付具１を示す正面側斜視図、図２は同ヘルメット用取付具１を示す背面側斜視図、図３は同正面図、図４は同背面図、図５は同側面図である。このヘルメット用取付具１は、帯状の表示部材３０（図１０および図１１参照）をヘルメット３１（図１１参照）に取り付ける際に使用されるものであり、樹脂による射出成形によって一体的に形成されている。また、ヘルメット用取付具１は表示部材３０の端部に取り付けられる取付部１０を備えている。この取付部１０は、薄板状の第１挟持片１１と薄板状の第２挟持片１２とを備え、当該第１挟持片１１と第２挟持片１２とは折曲可能な折曲部１３によって接続されている。また、図５に示すように、第１挟持片１１は第２挟持片１２より薄く形成されている。
【００２１】
第１挟持片１１は、本体部１１ａと、この本体部１１ａに一体的に設けられ、折曲部１３に接続された接続部１１ｂとから構成されている。また、本体部１１ａと接続部１１ｂとは同厚に形成されている。
本体部１１ａは略蒲鉾断面状に形成され、当該本体部１１ａには左右一対の係止孔１５，１５が設けられている。係止孔１５は後述する係止突起１７が係止されるものであり、当該係止孔１５の外側を向く縁は略半円状に形成され、その他の縁は直線状に形成されている。また、本体部１１ａには、当該本体部１１ａの厚さより薄い左右一対の薄肉部１５ａ，１５ａが設けられている。つまり、薄肉部１５ａの表面は、図６に示すように、本体部１１ａの表面より一段低くなっており、これによって、薄肉部１５ａは本体部１１ａより薄くなっている。
薄肉部１５ａの外周縁は係止孔１５の外周縁より外側に配置され、当該係止孔１５の外周縁とほぼ相似形となっている。そして、この薄肉部１５ａの略中央部に係止孔１５が形成されている。
また、図７に示すように、係止孔１５の外周縁から薄肉部１５ａの外周縁に向けて延び、かつ薄肉部１５ａを貫通する３本の細溝１５ｂ・・・が係止孔１５の略中央部回りに９０°間隔で形成されており、周方向に隣り合う細溝１５ｂ，１５ｂ間の薄肉片１５ｃはその厚さ方向に弾性的に撓み可能となっている。
【００２２】
第２挟持片１２は、図１および図３に示すように、正面視において、略矩形状に形成された本体部１２ａを備え、当該本体部１２ａの下端隅部は円弧状に形成されている。また図２、図４および図５に示すように、第２挟持片１２は、ヘルメットの縁に係止可能なフック部１６，１６と、前記係止孔１５に係止可能な係止突起１７，１７とを備えている。
フック部１６，１６は本体部１２ａの上縁部に、前記接続部１１ｂの基端部を挟んで左右１対設けられており、本体部１２ａの背面側に略Ｌ形に形成されている。そして、このフック部１６，１６と本体部１２ａとの間にヘルメットの縁が挿入されることで、フック部１６，１６がヘルメットの縁に係止可能となっている。
【００２３】
また、係止突起１７は、フック部１６より下方において、本体部１２ａの背面から突出するようにして設けられており、その平面形状は前記係止孔１５の平面形状と相似形でかつ若干大きくなっている。
係止突起１７，１７は、折曲部１３を軸として係止孔１５，１５と対称的に配置されており、折曲部１３を折り曲げることによって、第１挟持片１１を第２挟持片１２に重ねた際に、係止孔１５，１５に挿入されて係止されるようになっている。
すなわち、第１挟持片１１を第２挟持片１２に重ねていくと、相対的に係止突起１７，１７が係止孔１５，１５に挿入されていくが、この際、係止突起１７，１７によって薄肉部１５ａの薄肉片１５ｃ・・・が弾性的に撓んでいき、係止突起１７，１７が薄肉部１５ａを越えると、薄肉片１５ｃ・・・が弾性復帰して、係止突起１７，１７の首部（先端部）に係止する。これによって、係止突起１７，１７は係止孔１５，１５に係止するようになっている。
【００２４】
折曲部１３は、図５および図８に示すように、第１挟持片１１および第２挟持片１２より薄く形成されており、この折曲部１３を折り曲げることによって、第１挟持片１１と第２挟持片１２とが重ねられるようになっている。また、折曲部１３の幅は、前記接続部１１ｂと同幅となっている。
また、図９に示すように、第１挟持片１１と第２挟持片１２とが折曲部１３を折り曲げることによって重なった状態において、第１挟持片１１が第２挟持片１２より、第１挟持片１１および第２挟持片１２の重なり方向と交差する方向（図９において下方）に突出している突出部２０を有している。
すなわち、図１〜図４に示すように、第１挟持片１１の本体部１１ａは、折曲部１３から最も離れた部分、つまり本体部１１ａの先端部に突出部２０を有している。この突出部２０は、本体部１１ａの外周縁から円弧状に突出しており、この突出部２０が、第１挟持片１１と第２挟持片とが重ねられた状態において、第２挟持片１２の下端から突出している（図９参照）。
【００２５】
また、図１〜図４に示すように、取付部１０にマスクの耳かけ部を係止可能な係止部２１，２１が設けられている。具体的には、取付部１０の第２挟持片１２の本体部１２ａに、マスクの耳かけ部を係止可能な係止部２１，２１が設けられている。
すなわち、前記本体部１２ａの上端側の両側部には、それぞれ係止部（突出部）２１，２１が本体部１２ａの両側部から突出して設けられている。前記フック部１６をヘルメット３１（図１１参照）の縁に係止した場合における第２挟持片１２の前記縁に沿う方向を第２挟持片１２の幅方向とすると、第２挟持片１２の幅方向の両端部にそれぞれ突出部２１が設けられている。係止部（突出部）２１は、略四半円板状に形成され、板厚は本体部１２ａの板厚と等しくなっている。また、係止部２１は、直線部２１ａと円弧状部２１ｂとを有しており、直線部２１ａが下方（本体部１２ａの下端部側）に向けられている。この直線部２１ａにマスク４０の耳かけ部４１（図１１参照）が係止されるようになっている。なお、ヘルメット３１の縁部にヘルメット用取付具１のフック部１６が係止している場合、係止部２１の直線部２１ａが上方（ヘルメット３１の頂部側）に向けられる。
【００２６】
このような構成のヘルメット用取付具１を使用して、帯状の表示部材３０をヘルメットに取り付ける場合、まず図１０に示すように、表示部材３０の両端部にヘルメット用取付具１を取り付ける。この際、図９に示すように、第１挟持片１１と第２挟持片１２とを折曲部１３を折り曲げることによって重ねるとともに、第１挟持片１１と第２挟持片１２との間に表示部材３０の端部を挟み込んだうえで、係止突起１７，１７を係止孔１５，１５に係止する。表示部材３０の端部には、係止突起１７，１７が挿通される挿通孔が形成されており、当該挿通孔に係止突起１７，１７を挿通したうえで、係止孔１５，１５に係止する。これによって、表示部材３０の端部は第１挟持片１１と第２挟持片１２とによって挟み付けられ、これによって、表示部材３０の端部に取付部１０を取り付ける。また、表示部材３０の端部に形成された挿通孔に係止突起１７，１７が挿通されることで、表示部材３０の端部のヘルメット用取付具１からの抜け出が防止される。
このようにして、帯状の表示部材３０の両端部にそれぞれヘルメット用取付具１を取り付ける。なお、表示部材３０は伸縮性のある部材によって形成されている。
【００２７】
次に、図１１に示すように、ヘルメット３１に外面に表示部材３０を密着させるようにして沿わせるとともに、表示部材３０の両端部にそれぞれ取り付けられているヘルメット用取付具１のフック部１６，１６をヘルメット３１の縁に挿入することによって、当該フック部１６，１６をヘルメット３１の縁に係止する。これによって、表示部材３０をヘルメット用取付具１によってヘルメット３１に取り付ける。
【００２８】
また、ヘルメット用取付具１の第２挟持片１２に、マスク４０の耳かけ部４１を係止可能な係止部（突出部）２１が設けられているので、ヘルメット３１を装着した作業員は、マスク４０の耳かけ部４１を係止部２１に係止することによって、マスク４０を着用する。
【００２９】
以上のように本実施形態によれば、第１挟持片１１と第２挟持片１２とを接続する折曲部１３が第１挟持片１１および第２挟持片１２より薄くなっているので、第１挟持片１１と第２挟持片１２とを折曲部１３で容易に折り曲げることができる。
また、係止孔１５が、第１挟持片１１に形成されかつ当該第１挟持片１１より薄い薄肉部１５ａに設けられているので、係止突起１７を係止孔１５に挿入する際に係止孔１５の周辺の薄肉部１５ａ（薄肉片１５ｃ）が弾性的に容易に撓む。このため、係止突起１７を係止孔１５に挿入し易くなるので、当該係止突起１７を係止孔１５に容易に係止できる。
さらに、第１挟持片１１が第２挟持片１２より、第１挟持片１１および第２挟持片１２の重なり方向と交差する方向（図９において下方）に突出している突出部２０を有しているので、この突出部２０を掴んで引っ張ることによって、係止突起１７を係止孔１５から容易に引き抜くことができる。したがって、係止突起１７の係止孔１５への係止を容易に解除できる。
【００３０】
また、第１挟持片１１が第２挟持片１２より薄く形成されているので、突出部２０を引っ張る際に第１挟持片１１が第２挟持片１２から離れる方向に撓み易くなるとともに、突出部２０は折曲部１３から最も離れた部分にあるので、比較的小さな力で係止突起１７を係止孔１５から引き抜くことができる。
【００３１】
さらに、ヘルメット用取付具１の取付部１０の第２挟持片１２に、マスク４０の耳かけ部４１を係止可能な係止部（突出部）２１が設けられているので、ヘルメット３１を装着した作業員は、マスク４０の耳かけ部４１を係止部２１に係止することによって、作業員の耳に耳かけ部４１を引っ掛ける必要がない。このためマスク４０を着用しても作業員の耳に痛みは生じ得ない。
加えて、ヘルメット用取付具１の取付部１０の第２挟持片１２の幅方向の端部に突出部２１が設けられているので、作業員がヘルメット３１を装着した状態において、突出部２１はヘルメットの側部と平行となっている。したがって、突出部２１がヘルメット３１の側部に対して直角に突出することがないため、安全上も好ましく、また突出部２１がヘルメットの側方にある物に干渉することもない。
【００３２】
また、第２挟持片１２の幅方向の両端部のうち、ヘルメット３１の背面側に近い側の一端部の突出部２１にマスク４０の耳かけ部４１を係止することによって、ヘルメット３１の前面側に近い側の他端部の突出部２１に耳かけ部４１を係止する場合に比して、突出部２１に係止した耳かけ部４１が外れ難くなる。
さらに、第２挟持片１２の幅方向の両端部にそれぞれ突出部２１が設けられているので、突出部２１，２１の向きを気にすることなく、ヘルメット用取付具１を表示部材３０の端部に取り付けることができるとともに、ヘルメット用取付具１をヘルメット３１に取り付けることができる。
【００３３】
なお、本実施形態では、係止部（突出部）２１，２１を第２挟持片１２に一体的に設けたが、係止部（突出部）２１，２１を別体として形成しておき、当該係止部（突出部）２１，２１を第２挟持片１２に取り付けてもよい。この場合、例えば、薄板帯状の板状部材の両端部に突出部２１，２１を一体形成しておき、板状部材を第２挟持片１２の表面あるいは裏面に接着剤等によって取り付ければよい。
【００３４】
（第２の実施形態）
図１２〜図１４は、第２の実施形態を示すもので、図１２はヘルメット用取付具２を示す正面側斜視図、図１３は同正面図、図１４は同側面図である。
本実施形態のヘルメット用取付具２が第１の実施形態のヘルメット用取付具１と異なる点は、取付部１０の第２挟持片１２に設ける突出部の構成であるので、以下では当該突出部について説明し、第１の実施形態と同一構成には同一符号を付してその説明を省略する場合もある。
【００３５】
本実施形態では、第１の実施形態のヘルメット用取付具１が備えていた係止部（突出部）２１，２１は備えておらず、その代わりに突出部２２を備えている。
すなわち、図１２〜図１４に示すように、第２挟持片１２のフック部１６と逆側の表面に、当該表面から突出する突出部２２が設けられている。突出部２２は第２挟持片１２の上端部でかつ幅方向の中央部に、第２挟持片１２と一体的に樹脂成形されている。
【００３６】
突出部２２は、第２挟持片１２の表面から垂直に突出する軸部２２ａと、この軸部２２ａの先端部に設けられて、軸部２２ａより大径の張出部２２ｂとを備えている。軸部２２ａは円柱状に形成され、張出部２２ｂは円板状に形成されている。また、軸部２２ａと張出部２２ｂとは同軸に形成されている。
なお、本実施形態では、突出部２２を第２挟持片１２と一体的に樹脂成形したが、第２挟持片１２と別体に設けてもよい。この場合、第２挟持片１２に別体の突出部の軸部をねじ込んで固定したり、圧入によって固定してもよい。
【００３７】
本実施形態のヘルメット用取付具２では、第２挟持片１２に、マスク４０の耳かけ部４１を係止可能な突出部２２が設けられているので、図１５に示すように、ヘルメット３１を装着した作業員は、マスク４０の耳かけ部４１を突出部２２に係止することによって、マスク４０を着用する。
【００３８】
本実施形態によれば、第１の実施形態と同様に効果を得ることができる他、以下のような効果を得ることができる。
すなわち、突出部２２が第２挟持片１２の表面に、当該表面から垂直に突出して設けられているので、マスク４０の耳かけ部４１を突出部２２に容易に係止できる。
また、突出部２２は、第２挟持片１２の表面から垂直に突出する軸部２２ａと、この軸部２２ａの先端部に設けられて、当該軸部２２ａより大径でかつ当該軸部２２ａの径方向に張り出す張出部２２ｂとを備えているので、マスク４０の耳かけ部４１を突出部２２の軸部２２ａに係止した場合に、耳かけ部４１は張出部２２ｂに引っ掛かる。このため、耳かけ部４１の突出部２２からの抜出しを防止できる。
【００３９】
なお、第２の実施形態のヘルメット用取付具２において、突出部２２に加えて、第１の実施形態のヘルメット取付具１が備えている突出部２１，２１を備えていてもよい。つまり、図１６に示すように、突出部２２と突出部２１，２１の双方を備えていてもよい。
また、第１および第２の実施形態では、マスク４０の耳かけ部４１を係止可能な係止部を、第２挟持片１２の表面から突出する突出部２１，２２によって構成したが、係止部はマスクの耳かけ部を係止できる形状であれば、どのような形状や構造でも構わない。例えば、図１７（ａ）および図１７（ｂ）にそれぞれ示す変形例のように、第２挟持片１２にコ字形の切込みやＵ字形の切込みを形成し、これら切込みの内側を係止部２３，２４としてもよい。また、当該係止部２３，２４を外側（図１７において紙面と直交する手前側）に折り曲げてもよい。
また、第1および第２の実施形態では、取付部１０を、第１挟持片１１と第２挟持片１２と、第１挟持片１１および第２挟持片１２を接続する折曲部１３とによって構成したが、取付部は表示部材の端部に取り付けられるものであれば、どのような形状、構造のものであってもよい。
【符号の説明】
【００４０】
１，２  ヘルメット用取付具
１０  取付部材
１１  第１挟持片
１２  第２挟持片
１６  フック部
２１，２２  係止部（突出部）
２２，２３  係止部
３０  表示部材
３１  ヘルメット
【要約】
【課題】ヘルメットを装着している作業員の識別を行えるとともに、マスクを着用しても作業員の耳に痛みが生じ得ないヘルメット用取付具を提供する。
【解決手段】ヘルメット用取付具１は、表示部材の端部に取り付けられる取付部１０と、
取付部１０に設けられ、かつヘルメットの縁に係止可能なフック部１６とを備え、取付部１０にマスクの耳かけ部を係止可能な係止部２１，２１が設けられているので、ヘルメットを装着している作業員の識別を表示部材によって行えるとともに、マスクを着用しても作業員の耳に痛みが生じ得ない。
【選択図】図１【図１】
0006945823.tif 000002
【図２】
0006945823.tif 000003
【図３】
0006945823.tif 000004
【図４】
0006945823.tif 000005
【図５】
0006945823.tif 000006
【図６】
0006945823.tif 000007
【図７】
0006945823.tif 000008
【図８】
0006945823.tif 000009
【図９】
0006945823.tif 000010
【図１０】
0006945823.tif 000011
【図１１】
0006945823.tif 000012
【図１２】
0006945823.tif 000013
【図１３】
0006945823.tif 000014
【図１４】
0006945823.tif 000015
【図１５】
0006945823.tif 000016
【図１６】
0006945823.tif 000017
【図１７】
0006945823.tif 000018